(57)【要約】【課題】  引手のぶらつきを容易に防止できるほか、構成が簡単で低コストで製造できるスライドファスナーを提供する。【解決手段】  スライドファスナー１は、エレメントを開閉するためのスライダー１０の胴体４に、柱部２と連結された状態で振れ動くように引手３が取り付けられていて、胴体４または柱部２に対して上記の引手３がスナップ止めされ得るように構成されている。柱部２との上記連結のために引手３に穴３１が設けられているとともに、その穴３１よりも断面寸法の大きい部分が柱部２の端部付近に形成されている。【選択図】      図１
0003135346.tif 000002
【実用新案登録請求の範囲】
【請求項１】
一対の噛み合うエレメントを開閉するためのスライダーの胴体に、柱部と連結された状態で振れ動くように引手が取り付けられているファスナーであって、
上記の胴体または柱部に対して上記の引手がスナップ止めされ得るように構成されていることを特徴とするスライドファスナー。
【請求項２】
柱部との上記連結のために引手に穴が設けられているとともに、その穴よりも断面寸法の大きい部分が柱部の端部付近に形成されていて、引手が、断面寸法の大きいその部分を越えて移動したことをもって柱部の端部付近にスナップ止めされることを特徴とする請求項１に記載のスライドファスナー。
【請求項３】
上記した断面寸法の大きい部分として、外向きの突出部を有する部分が柱部の端部付近に形成されていて、その突出部と胴体との間に、引手が収まり得るスペースが設けられていることを特徴とする請求項２に記載のスライドファスナー。
【請求項４】
突出部と胴体との間に設けられている上記のスペースに引手が収まった状態では、柱部および胴体により拘束されていずれの方向へも引手が動かないことを特徴とする請求項３に記載のスライドファスナー。
【請求項５】
一足のブーツにおける対向する側面部分に取り付けられていることを特徴とする請求項１〜４のいずれかに記載のスライドファスナー。
【請求項６】
請求項１〜５のいずれかに記載のスライドファスナーが、左右それぞれの対向する側面部分に取り付けられていることを特徴とするブーツ。
【考案の詳細な説明】
【技術分野】
【０００１】
請求項に係る考案は、柱部に対して振れ動くように取り付けられた引手の動きを固定することが可能なスライドファスナー、およびそのようなファスナーが取り付けられたブーツに関するものである。
【背景技術】
【０００２】
スライドファスナーの引手は、エレメント（「務歯」と呼ばれる一対の噛み合う部分）を開閉するときどちらの方向へも引っ張りやすくするため、一般に、スライダーに対して振れ動き得るように取り付けられている。そのため、たとえばブーツの内側（互いに対向する側）にファスナーが取り付けられている場合、歩行中などに引手がぶらついて反対側の脚やストッキングに引っかかったり、左右の引手が接触したりすることがある。そうした場合、ストッキングが破れたり引手が破損したりする不都合が生じがちである。
【０００３】
ぶらつき得る引手を固定するための公知の技術は、たとえば特許文献１に開示されている。文献１に記載されたスライドファスナー１’は、図５（ａ）〜（ｃ）に示すように、エレメント２０’を開閉するスライダー１０’の胴体部４’の上面に固定された柱部２’に対して、引手３’が振れ動き得るように連結されている。また、引手３’には、ゴムまたは樹脂製のカバー５’が取り付けられている。カバー５’に形成された丸穴５ａ’は、衣服３０’などに別途設けた突起プレート６’の突起６ａ’と一致する大きさのもので、突起６’に対して丸穴５ａ’が無理嵌め（いわゆるスナップ止め）されることにより、引手３’の固定が可能である。
【特許文献１】特開２００１−２０４５１４号公報
【考案の開示】
【考案が解決しようとする課題】
【０００４】
特許文献１に記載されたファスナーの場合、引手の動きを固定するために、別途衣服等にも固定用の係止部を設けなくてはならない。また、上記のようなゴムまたは樹脂製のカバーを引手に取り付ける必要もある。そのため、製造工程やコストが余分にかかってしまう。
【０００５】
これらの点を考慮し、請求項の考案は、より簡単であってコストのかからない構造により引手のぶらつきを防止できる新しいスライドファスナーを提供することを目的とする。
【課題を解決するための手段】
【０００６】
上記課題を解決するため、請求項の考案に係るスライドファスナーは、エレメントを開閉するためのスライダーの胴体に、柱部と連結された状態で振れ動くように引手が取り付けられていて、上記の胴体または柱部に対して上記の引手がスナップ止め（つまり、引手をパチンと押し込んで止めるような止め方。無理嵌め）され得るように構成されていることを特徴とする。
【０００７】
このようなスライドファスナーであれば、自身のスライダーにおける胴体または柱部に対してスナップ止めするという簡単な方法で、引手を固定することができる。衣服などファスナーの外部には、引手を固定するための構成要素を設ける必要がないので、構造がとくに簡単であり、容易にかつ安価に製造できる。また、外観がシンプルなので、ファスナーを目立たせたくない場合などにも好都合である。
【０００８】
請求項２に記載のスライドファスナーは、柱部との上記連結のために引手に穴が設けられているとともに、その穴よりも断面寸法の大きい部分が柱部の端部付近に形成されていて、引手が、断面寸法の大きいその部分を越えて移動したことをもって柱部の端部付近にスナップ止めされることを特徴とする。たとえば図４において、柱部２における断面寸法Ａは引手３の穴３１の断面寸法Ｃよりも大きく、その寸法Ａの部分を越えて移動したとき引手３がスナップ止めされる。
引手を移動させるとき、上記した断面寸法の大きい部分では、引手の穴がその部分に接触して引っ掛かり、力を加えないとそれ以上には引手を移動させることができない。しかし、十分な力を加えると、引手と柱部との間に弾性変形が生じて引手がその部分を越え、その先の位置までパチンと移動する。こうして引手は、少し大きめの力を加えるだけで、柱部の端部付近に簡単にスナップ止めされて固定される。また、このようなスライドファスナーであれば、スナップ止めのための構成要素（専用の突起や穴など）をわざわざ設ける必要がない。
なお、引手が固定された状態では、同じような大きさの力が引手に対して反対向きに加わらない限り引手の固定状態が解除されることはない。したがって、このスライドファスナーによれば引手を確実に固定できる利点がある。
【０００９】
請求項３に記載のスライドファスナーは、上記した断面寸法の大きい部分として外向きの突出部を有する部分が柱部の端部付近に形成されていて、その突出部と胴体との間に、引手が収まり得るスペースが設けられていることを特徴とする。そのスペースは、図４の例において、突出部８の下面８ｂと胴体部４の上面との間に設けられている。
このような構成のスライドファスナーであれば、断面寸法の大きい上記の突出部を越えて移動した引手が上記のスペースに収まり、胴体に添った位置で安定的に固定される。その状態では、引手は外向きにはほとんど突出せず目立ちにくいうえ、固定された状態から容易に外れることもないので、極めて好ましい。
【００１０】
請求項４に記載のスライドファスナーは、突出部と胴体との間に設けられている上記のスペースに引手が収まった状態では、柱部および胴体により拘束されていずれの方向へも引手が動かないことを特徴とする。
このようなスライドファスナーであれば、引手を上記スペースにはめ込んだとき、とくに確実に引手を固定できる。その状態では、胴体や柱部に対して引手が揺れたりガタついたりしないので、引手に磨耗が発生しにくくなるという利点もある。
【００１１】
請求項５に記載のスライドファスナーは、一足のブーツにおける対向する側面部分（各内側）に取り付けられていることを特徴とする。
このようなスライドファスナーであれば、ブーツを着用したとき引手がぶらつかないように固定できるため、引手がストッキングに引っかかったり、引手同士が接触して破損したりするのを防止できる。
【００１２】
請求項６に係る考案のブーツは、上記いずれかのスライドファスナーが、左右それぞれの対向する側面部分（各内側）に取り付けられていることを特徴とする。
このようなブーツにおいては、ファスナーの引手を固定することができるため、歩行中などに引手が反対側の脚やストッキングに引っかかったり他方のファスナーの引手と接触したりすることを防止できる。そのため、このブーツでは、ストッキングが破れたり引手が破損したりする不都合を解消することが可能である。
【考案の効果】
【００１３】
請求項に係る発明のスライドファスナーによれば、ファスナー自身の胴体または柱部に対するスナップ止めによって、引手を簡単に固定することができる。衣類やブーツなどファスナーの外部には引手を固定するための構成要素を設ける必要がないので、製造工程も外観もシンプルである。
スナップ止めした引手が収まり得るスペースを柱部の端部付近と胴体との間に設けておけば、引手が胴体に添った位置で安定的に固定されるという利点がある。
上記スペースに収まったとき引手が柱部や胴体に拘束されていずれの方向へも動かないようにすると、揺れたりガタついたりしないよう確実に引手を固定でき、それによって引手の磨耗を抑制できる効果もある。
発明のスライドファスナーをブーツの対向する側面部分（各内側）に取り付けると、引手がストッキングに引っかかってストッキングが破れたり、引手同士が接触して破損したりすることがない。
【考案を実施するための最良の形態】
【００１４】
考案の実施形態としてのスライドファスナーを、図１〜図４に基づき説明する。
図１は、スライドファスナー１の引手３を解放した（振れ動く状態にした）状態を示す斜視図で、図２は引手３の平面図、図３は、スライドファスナー１の引手３を柱部２に固定した状態を示す斜視図、さらに図４は、図３におけるIV−IV断面図をそれぞれ示している。
【００１５】
スライドファスナー１は、図１に示すように、柱部２と胴体部４とからなるスライダー１０と、柱部２に対して振れ動き得るように取り付けた引手３と、スライダー１０によって開閉させられるエレメント（図示せず）からなる。
【００１６】
胴体部４は、一般的なファスナーと同様の構造で、エレメントをガイドするレール部５を備えている。レール部５には、エレメントを取付けたテープ（図示せず）が通過するテープ溝６があり、テープ溝６の肩口７は、エレメントが通過できるだけの幅（間隔）を有している。図１において、引手３を右側（前方寄り。肩口７の側）に引っ張るとエレメントを閉じることができ、逆に、引手３を左側（後方寄り。肩口７とは反対の側）に倒して引っ張ると、エレメントを開くことができる。
【００１７】
柱部２は、中央付近に引手保持部２ａを有し、その部分によって引手３を、基端部３ａを中心に振れ動き得るように支持している。引手３は、柱部２との連結のための穴３１を基端部３ａ寄りに有する（図２参照）。また、引手３の先端部３ｂ寄りには、使用者が指ではさんで引っ張る力を加えやすいように、もう一つの穴３２を設けている。
【００１８】
柱部２は、肩口７の反対側（後端）の端面上部において、曲面状に突出する突出部８を有する。突出部８の先端８ａから引手保持部２ａ（のうちエレメントを開くときに引手３と接触する点）までの長さＡは、引手３をスナップ止めできる程度（力を入れないと引っ掛けられない程度）に、穴３１の長手方向の内法寸法Ｃよりも長く設定している。柱部２における肩口７側の端部から引手保持部２ａ（のうちエレメントを閉じるときに引手３と接触する点）までの長さＢは、上記長さＡおよび内法寸法Ｃより短い。エレメントを閉じるときに、引手３が柱部２に引っかからないようにするためである。また、引手３の穴３１の幅Ｄは、穴３１の内側側面３１ａが柱部２の側面に沿うような寸法に設定し、引手３が左右にガタつくことによる磨耗を防いでいる。
【００１９】
図４に示すように、柱部２の後端面下部（突出部８の下部）の胴体部４への取り付け位置は、胴体部４の後端４ａから２〜３ｍｍ内側（肩口７寄り）にして、胴体部４の上面と突出部８との間に、ほぼコの字状のスペース９を形成している。胴体部４の上面と突出部８との間隔は、引手３の内側端部３ｃを挟み込んで固定できる寸法に設定している。さらに、突出部８の下面８ｂに、下方に向けたふくらみを設け、引手３を押さえる形で確実に固定できるようにしている。
【００２０】
引手３の材質は、硬質の金属等よりも、柔軟性のある高強度の材質（たとえば樹脂やＦＲＰ）の方が扱いやすく破損もしにくい。
【００２１】
以上のように構成したスライドファスナー１は、胴体部４の後端４ａの側に引手３を倒し、穴３１の内側縁部３ｃを突出部８に当てて先端部３ｂをエレメント側に押さえつけると、引手３の基端部３ａと引手保持部２ａとの接触点が支点となり、スナップ止めのように突出部８に引っ掛けることができる。図３に示すように、内側縁部３ｃが先端部８ａを越えたら、引手３を肩口７方向にスライドさせ、内側縁部３ｃをスペース９にはめ込んで固定する。上記したとおり、柱部２の長さＡが穴３１の長さＣより長いうえ、内側縁部３ｃがスペース９において突出部８と胴体部４とに挟まれるため、確実に引手３を固定できる。
【００２２】
固定を解除するときは、逆の手順で、まず引手３の内側縁部３ｃをスペース９から引き出し、続いて引手３の先端部３ｂにエレメントから離れる向き（図３・図４の上向き）の力を加え、内側縁部３ｃを突出部８から外せばよい。
【００２３】
このスライドファスナー１は、ファスナーの基本的な構成要素のみで引手３のぶらつきが防止できるので、安価に、簡単に製造できる。そしてとくに、引手のぶらつきが引手そのものやストッキングの破損を招きかねないブーツの内側にこのスライドファスナー１を使用すると最適である。当然のことながら、引手のぶらつきを避けたい他の用途にも適用可能である。
【００２４】
なお、上に紹介した柱部および引手の形状や各部の寸法は、考案の趣旨を逸脱しない範囲で定めればよく、上記に限定されるものではない。
【図面の簡単な説明】
【００２５】
【図１】考案の一実施形態としてのスライドファスナー１について引手３を解放した状態を示す斜視図である。
【図２】引手３の平面図である。
【図３】スライドファスナー１について引手３を固定した状態を示す斜視図である。
【図４】図３におけるIV−IV断面図である。
【図５】図５(ａ)は、従来のスライドファスナー１’の引手３’が固定されていない状態を示す平面図、同(ｂ)は引手３’とそれを係止する突起プレート６’等を側方からみた断面図、同(ｃ)は、引手３’が固定されている状態を示す平面図である。
【符号の説明】
【００２６】
１  スライドファスナー
２  柱部
３  引手
４  胴体部（胴体）
８  突出部
９  スペース
【図１】
0003135346.tif 000003
【図２】
0003135346.tif 000004
【図３】
0003135346.tif 000005
【図４】
0003135346.tif 000006
【図５】
0003135346.tif 000007